(57)【特許請求の範囲】
【請求項１】
表面に凹凸が存在する下地の上に、下地表面に存在する凹凸を吸収するための下位クッションシートが積層され、該下位クッションシートの上面に、ヒーターと所要の配線および結線用コネクターなどからなる熱源器材が配置されて結線用コネクターが接続されており、その上に、該熱源器材のヒーター、所要の配線、接続されている結線用コネクターにより生じる凹凸を吸収できる程度の厚みを持つ上位クッションシートが積層され、さらにその上に表面化粧材が接着剤や固定具を用いることなく積層されていることを特徴とする電気式床暖房構造。
【請求項２】
下地が捨て張り下地合板であることを特徴とする請求項１記載の電気式床暖房構造。
【請求項３】
下地がコンクリート床であることを特徴とする請求項１記載の電気式床暖房構造。
【請求項４】
下地が既存の床の表面化粧材であることを特徴とする請求項１記載の電気式床暖房構造。
【請求項５】
コンクリート床あるいは捨て張り下地合板である凹凸のある下地の上に、下地表面に存在する凹凸を吸収するための下位クッションシートを積層し、該下位クッションシートの上面に、ヒーターと所要の配線および結線用コネクターなどからなる熱源器材を配置して結線用コネクターを接続し、その上に、配置した熱源器材のヒーター、所要の配線、接続されている結線用コネクターにより生じる凹凸を吸収できる程度の厚みを持つ上位クッションシートを積層し、さらにその上に接着剤や固定具を用いることなく表面化粧材を積層する工程を少なくとも有することを特徴とする電気式床暖房構造の施工方法。
【請求項６】
既存の床の表面化粧材である凹凸のある下地の上に、下地表面に存在する凹凸を吸収するための下位クッションシートを積層し、該下位クッションシートの上面に、ヒーターと所要の配線および結線用コネクターなどからなる熱源器材を配置して結線用コネクターを接続し、その上に、配置した熱源器材のヒーター、所要の配線、接続されている結線用コネクターにより生じる凹凸を吸収できる程度の厚みを持つ上位クッションシートを積層し、さらにその上に表面化粧材を接着剤や固定具を用いることなく積層する工程を少なくとも有することを特徴とする電気式床暖房構造の施工方法。
【発明の詳細な説明】
【０００１】
【発明の属する技術分野】
本発明は床暖房構造とその施工方法に関し、特に、熱源として電気ヒーターを用いる電気式の床暖房において、その省施工性を可能とする電気式床暖房構造とその施工方法に関する。
【０００２】
【従来の技術】
熱源として電気ヒーターを用いる電気式床暖房構造は知られており、その施工方法は、大別して一体型施工と分離型施工とに分けられる。一体型施工は、木質化粧床材の裏面にヒーターなどの熱源体を予め一体に取り付けた暖房床材を床下地の上に釘打ちなどで固定しながら多数枚配置していく工法であり、暖房床材の裏面は平坦面とされており、床下地面に直接あるいは緩衝シートやアルミ箔のような均熱板などを介して配置される。
【０００３】
分離型施工は、所要の枠体の中にヒーターなどの熱源体を組み込んだ暖房パネルを根太や床下地の上に釘打ちなどで固定し、その上に、次作業として従来知られた木質化粧床材を適宜の手段で配置していく工法であり、この場合も、熱源体を組み込んだ暖房パネルの表裏面は平坦面とされていて、その上に、必要な場合には均熱板を介して木質化粧床材が配置される（特開平１１−２１１１１７号公報など参照）。
【０００４】
【発明が解決しようとする課題】
前記一体型施工は分離型施工と比較して施工が簡素化される利点がある。しかし、木質化粧床材の表面に傷が付きリフォームするような場合に、熱源体を組み込んだ暖房床材全体を交換する必要があり、コストが高くなる傾向がある。さらに、リフォーム時に、下地面に釘打ちなどにより固定されている暖房床材を必要な箇所で引き剥がすこと、また、新し暖房床材に再度電気的接続を確保して元の状態に戻すことは容易でない。
【０００５】
分離型施工では、木質化粧床材の表面に傷が付いた場合に、当該木質化粧床材のみを交換すればよく、比較的低コストでリフォームを行うことができる。しかし、熱源体を組み込んだ暖房パネルを製造するコストや、暖房パネルと木質化粧床材とを別々に敷設施工する作業手間などを考えると、全体の施工コストが低減されるとは言い難い。
【０００６】
また、いずれの施工態様においても、施工時には下地面が平坦面となっていることを前提としており、リフォーム時に、既存のフロア床材を引き剥がし、その後にそのままで新たに床暖房施工を施すこと、あるいは、既存の木質化粧床材の上に重ねて床暖房施工を施すことはきわめて困難である。
【０００７】
本発明は上記のような事情に鑑みてなされたものであり、新たに施工するときも、また、リフォーム時に施工するときにも、従来のものと比較して省施工化が可能であり、施工コストを低減することができる電気式床暖房構造およびその施工方法を提供することを目的とする。
【０００８】
【課題を解決するための手段】
上記の課題を解決するための本発明による電気式床暖房構造は、基本的に、表面に凹凸が存在する下地の上に、下地表面に存在する凹凸を吸収するための下位クッションシートが積層され、該下位クッションシートの上面に、ヒーターと所要の配線および結線用コネクターなどからなる熱源器材が配置されて結線用コネクターが接続されており、その上に、該熱源器材のヒーター、所要の配線、接続されている結線用コネクターにより生じる凹凸を吸収できる程度の厚みを持つ上位クッションシートが積層され、さらにその上に表面化粧材が接着剤や固定具を用いることなく積層されていることを特徴とする。また、本発明は、上記の電気式床暖房構造を構築するための施工方法をも開示する。
【０００９】
本発明による電気式床暖房構造およびその施工方法において、前記下地は任意であり、従来のフローリング施工における床下地、例えば、コンクリート床面であってもよく、その上に直接あるいは根太材を介して貼り付けられる捨て張り下地合板などであってもよい。さらに、下地は、既存の床の表面化粧材、例えば、木質フロアにおける木質化粧床材、カーペットを敷き込めたクッションフロアにおけるクッション材、樹脂シート、タイル、などであってもよい。リフォーム時に電気式床暖房を新規導入しようとする場合には、この既存の床の表面化粧材を下地とする構造が好適となる。
【００１０】
ヒーターと所要の配線および結線用コネクターなどからなる熱源器材は、下地の上に積層した適宜の下位クッションシートを介して配置する。既存の床の表面化粧材を下地として用いる場合のように、下地の面に凹凸（不陸）があるような場合には、その凹凸を吸収できる程度の厚みを持つ適宜の下位クッションシートを介して熱源器材を配置する。
【００１１】
ヒーターは電気をエネルギー源とするものであれば任意であり、ニクロム線などを抵抗体とする面状ヒーターや線状ヒーターのみならず、セラミックス半導体ＢａＴｉを主成分とするＰＴＣヒーターなども含まれる。線状ヒーターの場合に、それが適宜の基板の上に蛇行してあるいはループを描くようにして止め付けられているものも含まれる。上記ヒーター、所要の配線、結線用コネクターなどは、必要な場合には、下地に対して例えばステープルのような適宜の固定具により固定される。
【００１２】
前記熱源器材を配置したときに、ヒーター、所要の配線、結線用コネクターなどにより凹凸（不陸）が生じる。そのために、その凹凸を吸収する目的で、熱源器材の上には、該凹凸を吸収できる程度の厚みを持ちかつ好ましくは下地の面積とほぼ同じ面積である上位クッションシートを積層する。そして前記上位クッションシートの上に適宜の表面化粧材を、接着剤や固定具を用いることなく、いわゆる置き敷き床（フローティング床）の態様で積層する。それにより、本発明による電気式床暖房構造が構築される。
【００１３】
上位クッションシートの上に積層する表面化粧材の種類に制限はなく、従来の床構造で用いられてきた任意のもの（例えば前記した木質化粧床材、シート状の適宜のクッション材、樹脂シート、タイルなど）を用いることができる。木質化粧床材やタイルのように矩形状の単位体を多数寄せ集めてフロアとする場合には、互いにサネ係合できるように各単位体の周囲にサネ加工を施しておくことが望ましい。なお、置き敷き床の構造を採用したのは、釘などの固定具を用いずに簡単に施工できるからである。
【００１４】
本発明において、上位クッションシートおよび下位クッションシートは前記したように熱源器材により形成される、あるいは下地面に存在する凹凸（不陸）を吸収して、より上位に位置する部材（上位クッションシートの場合には表面化粧材、下位クッションシートの場合には熱源器材）に凹凸（不陸）の影響を与えないようにするものであり、その凹凸の程度に応じて、適宜の厚みの適宜の材料が選定される。材料としては、樹脂材料がポリウレタン系、ポリオレフィン系のような発泡合成樹脂、その他、合成繊維からなる不織布のような材料が好適である。
【００１５】
【発明の実施の形態】
以下、本発明を実施の形態に基づき説明する。図１は本発明による電気式床暖房構造とその施工方法の一実施の形態を説明するための一部を破断して示す斜視図であり、図２は図１に示す電気式床暖房構造の一部を断面により示している。図３は電気式床暖房構造の他の実施の形態を示す断面図である。
【００１６】
図１および図２に示す形態では、下地１０として、適宜の木組みやコンクリート床の上に配置した根太１の上に貼り付けた捨て張り下地合板２を用いている。もちろん、所要の平坦度が確保できる場合には、コンクリート床そのものを下地としてもよい。下地１０である捨て張り下地合板２の上に、熱源器材２０が直接あるいは適宜の固定手段を用いて配置される。この例において、電熱器材２０は、断熱効果のあるアルミ箔のようなシート２１に貼り付けた熱線ヒーター２２と、結線用コネクター２３と、熱線ヒーター２２と結線用コネクター２３とを接続する配線材２４とを有しており、このような電熱器材２０自体は従来知られたものである。
【００１７】
この種の電熱器材２０では、熱線ヒーター２２部は厚み１〜２．５ｍｍ程度の薄いものとすることができるが、電気的安定性を確保するために、図２に示すように、結線用コネクター２３と配線材２４の部分はどうしても厚みが３ｍｍ程度あるいはそれ以上のものとなる。そのために、捨て張り下地合板２の上に配置された電熱器材２０の上面側は平坦面とはならず、凹凸（不陸）が形成される。
【００１８】
その凹凸を吸収するために、電熱器材２０を覆うようにして、厚さ２ｍｍ程度の発泡合成樹脂シートや不織布マットのようなクッションシート（上位クッションシート）３０を敷き詰め、その上から、表面化粧材４０として従来知られた木質化粧床材を、接着剤や固定具を用いることなく、いわゆる置き敷きフロアとして積層する。クッションシート３０が存在することにより、単に木質化粧床材４０を置いていくことにより、平坦でありかつ容易に剥がれたりすることのない状態で、木質化粧床材４０を敷き詰めることができる。木質化粧床材４０の固定に接着剤などを用いないために、敷設作業は容易であり、また、表面に傷が付いたような場合に、木質化粧床材４０の交換も容易に行うことができる。
【００１９】
また、上記の例では、結線用コネクター２３を接続していくのみで複数枚の電熱器材２０を電気的に接続できるので、特別の電気工事を必要とせず、電気式床暖房構造全体の施工性も簡素化できる。さらに、床下地面の必要箇所（例えば、全床下地面の１／２あるいは１／３など）にのみ電熱器材２０を配置して電気的な接続を行い、その後で、床下地面の全面にクッションシート（上位クッションシート）３０を敷き詰め、さらに木質化粧床材４０を配置固定していくような施工態様も容易に取ることができるので、同じ床下地面に対して多様な態様の電気式床暖房構造を構築することが可能となる。
【００２０】
図３に示す態様は、下地１０の上に下位クッションシート５０が積層され、その上に前記熱源器材３０が配置されている点で、図１、図２に基づき説明した電気式床暖房構造と異なっている。下位クッションシート５０は上位クッションシート３０と同じものであってよく、発泡合成樹脂シートや合成繊維からなる不織布マットなどが用いられる。
【００２１】
この態様は、下地１０の表面が平坦面でなく凹凸（不陸）を有する場合に、特に有効な施工態様となる。この場合の下地１０の例としては、既存のフロア床材を引き剥がした後の凹凸のある床下地面ばかりでなく、特に図示しないが、既存の表面化粧材、例えば、木質フロアにおける木質化粧床材、カーペットを敷き込めたクッションフロアにおけるクッション材、樹脂シート、タイル、などの表面をそのままで利用することができる。従って、この態様は、リフォーム時に電気式床暖房を新規導入しようとする場合に、特に好適となる。
【００２２】
【発明の効果】
本発明による電気式床暖房構造およびその施工方法では、新たに施工するときも、また、リフォーム時に施工するときにも、従来のものと比較して省施工化が可能であり、施工コストも低減することができる。
【図面の簡単な説明】
【図１】本発明による電気式床暖房構造とその施工方法の一実施の形態を説明するための一部を破断して示す斜視図。
【図２】図１に示す電気式床暖房構造の一部を示す断面図。
【図３】電気式床暖房構造の他の実施の形態を示す断面図。
【符号の説明】
１０…床下地、２…捨て張り下地合板、２０…熱源器材、３０…上位クッションシート、４０…表面化粧材（木質化粧床材）、５０…下位クッションシート
【図１】
0003946497.tif 000002
【図２】
0003946497.tif 000003
【図３】
0003946497.tif 000004